(57)【要約】【課題】  バルブ撮影機能を有するフォーカルプレーンシャッタ付き一眼レフカメラにおけるシャッタレリーズ時のカメラぶれに起因する弊害を防止すること。【解決手段】  一眼レフカメラ１のバルブ撮影時に、レリーズボタン８が押されると（ステップＳＴ２）、フォーカルプレーンシャッタ７が全開状態になる前に、絞り機構１５が全閉状態とされ、その状態が規定時間継続し（ステップＳＴ３、４、５）、しかる後に絞り機構１５が初期設定された絞り値となるように制御される（ステップＳＴ６）。シャッタ全開時点から露光開始までの時間Δｔを適切に設定すれば、フォーカルプレーンシャッタ７の駆動時にカメラ本体２に発生する残留振動が止んだ後に露光を開始でき、カメラぶれに起因して撮影画像にぶれが発生するという弊害を防止できる。【選択図】  図３
2005156815.tif 000002
【特許請求の範囲】
【請求項１】
フォーカルプレーンシャッタを備えた一眼レフカメラのバルブ撮影方法であって、
レリーズボタンが押下されると、前記フォーカルプレーンシャッタが全開状態になる前に、絞り機構を全閉状態にし、
前記絞り機構の全閉状態を所定時間だけ保持し、
しかる後に前記絞り機構を設定値に戻して、前記フォーカルプレーンシャッタによるバルブ露光を開始する一眼レフカメラのバルブ撮影方法。
【請求項２】
請求項１において、
前記絞りを全閉状態に保持する時間を可変とした一眼レフカメラのバルブ撮影方法。
【請求項３】
レリーズボタンと、
フォーカルプレーンシャッタと、
絞り機構と、
バルブ撮影モードを設定入力する入力手段と、
前記フォーカルプレーンシャッタおよび前記絞り機構を制御する制御手段とを有し、
前記制御手段は、撮影モードが前記バルブ撮影モードの場合には、前記レリーズボタンが操作されると、前記フォーカルプレーンシャッタが全開状態になる前に前記絞り機構を全閉状態にし、当該全閉状態を所定時間だけ保持し、しかる後に、前記絞り機構を予め設定されている絞り値に戻すようになっているバルブ撮影機能を有するフォーカルプレーンシャッタ付き一眼レフカメラ。
【請求項４】
請求項３において、
前記絞り機構を全閉状態に保持する時間を変更可能な全閉時間変更手段を有しているバルブ撮影機能を有するフォーカルプレーンシャッタ付き一眼レフカメラ。
【請求項５】
請求項３または４において、
前記制御手段は、前記バルブ撮影モードを含む撮影モードの動作制御プログラムが書き換え可能な状態で記憶されたＥＥＰＲＯＭを備えているバルブ撮影機能を有するフォーカルプレーンシャッタ付き一眼レフカメラ。
【発明の詳細な説明】
【技術分野】
【０００１】
本発明はフォーカルプレーンシャッタ付き一眼レフカメラのバルブ撮影方法に関し、更に詳しくは、バルブ撮影時におけるフォーカルプレーンシャッタに起因する撮影画像のぶれを回避可能なバルブ撮影方法および一眼レフカメラに関するものである。
【背景技術】
【０００２】
一眼レフカメラは、撮影レンズとフィルム（あるいはＣＣＤ撮像素子などの受光素子）の間に反射鏡を配置し、撮影レンズで結んだ像をファインダで直接見る形式のものであり、撮影レンズを接写レンズや超望遠レンズなどへ自由に切り換え可能なレンズ交換式となっている。したがって、シャッタとして、撮影レンズ系に配置されるレンズシャッタではなく、フィルムなどの結像面の直前に配置されるフォーカルプレーンシャッタが一般的に用いられている。
【０００３】
一般的なフォーカルプレーンシャッタは、先幕と後幕の間にスリットを形成し、レリーズボタンが押下されると、画面（フィルム面、ＣＣＤなどの受光面）の一端から他端へスリットを走らせ、また、そのスリット幅を変更して露出時間を定めている。幕走行後は、先幕と後幕が所定長だけ重複した状態で巻き上げられる。フォーカルプレーンシャッタは、画面の長辺方向に走る横走り方式と、短辺方向に走る縦走り方式とに大別され、材料も、遮光幕を使用したものから金属を使用したものまで様々である。
【０００４】
横走り方式は、先幕と後幕が一枚ずつの遮光幕で構成され、巻き上げ前には後幕が、巻き上げ後には先幕がそれぞれ画面を遮光し、画面外でも先幕および後幕は所定の重なりを形成するので、露光のおそれが低い。これに対して、縦走り方式では、金属および樹脂成形の薄板からなる先羽根および後羽根がそれぞれ複数枚の板に分割されており、それぞれの羽根が重なって画面を遮光する。従って、画面枠内には常に羽根の重なり部が存在し、長時間、直射日光に晒されるとフィルム面などが露光するおそれがある。しかし、一眼レフカメラの場合には、シャッタ面の手前に反射鏡が存在し、この反射鏡によってシャッタ面への長時間照射が防止される。
【０００５】
縦走り方式のフォーカルプレーンシャッタは、シャッタ羽根が画面の短辺方向に走るので、全開時間が短くストロボとの同調速度を速くすることができ、日中シンクロの性能向上などの効果が期待でき、また、ユニット化が容易で生産性向上にも効果がある。よって、今日の３５ミリ一眼レフカメラの殆どに採用されている。
【０００６】
ここで、このようなフォーカルプレーンシャッタ付きの一眼レフカメラの撮影モードとして、天体撮影や花火撮影などに有効なバルブ撮影モードが一般に知られている。バルブ撮影時には、カメラがぶれないように、殆どの場合、三脚にカメラを固定してレンズを取り付け、ケーブルレリーズを利用してレリーズ動作を行っている。しかしながら、シャッタ幕開きによってカメラ本体に振動、衝撃が作用するので、カメラぶれが発生してしまう。シャッタ動作に起因するカメラぶれ防止策は、例えば、下記の特許文献１に記載されている。ここに記載のカメラぶれ防止策は、高速露出時に焦点を当てた構成であり、シャッタ動作時にバランサを逆方向に移動させることにより、力の釣り合いを確保して、シャッタ移動に伴うぶれを防止している。
【特許文献１】特開平５−３３３４０１号公報
【発明の開示】
【発明が解決しようとする課題】
【０００７】
しかるに、シャッタ駆動時にカメラ本体に衝撃力が加わりカメラ本体に発生した振動は所定の減衰期間を経て収束する。従来のシャッタ動作に起因するカメラぶれの防止策では、シャッタ動作によりカメラ本体に発生する残留振動を防止することができない。よって、従来においては、かかるカメラ本体のレリーズ後の減衰振動に起因する撮影画像のぶれを回避するために、レリーズボタンを押した直後に一時的に紙などで撮影レンズを遮光するなどの工夫を凝らす必要があり、極めて不便であった。
【０００８】
本発明の課題は、このような点に鑑みて、バルブ撮影時におけるシャッタレリーズに起因するカメラ本体の残留振動（減衰振動）による悪影響を防止可能な一眼レフカメラのバルブ撮影方法および一眼レフカメラを提案することにある。
【課題を解決するための手段】
【０００９】
本発明は、フォーカルプレーンシャッタを備えた一眼レフカメラのバルブ撮影方法であって、レリーズボタンが押下されると、前記フォーカルプレーンシャッタが全開状態になる前に絞り機構を全閉状態にし、前記絞り機構の全閉状態を所定時間だけ保持し、しかる後に前記絞り機構を設定値に戻して、前記フォーカルプレーンシャッタによるバルブ露光を開始することを特徴としている。
【００１０】
絞り機構の全閉時間を適切に設定することにより、フォーカルプレーンシャッタが開くことに起因してカメラ本体に発生した残留振動を露光開始時点までに収束させることができる。この結果、バルブ撮影時においてカメラ本体の残留振動に起因する撮影画像のぶれを確実に防止できる。
【００１１】
ここで、カメラ本体に発生する残留振動の持続時間は、カメラ本体の振動特性、そこに取り付けた撮影レンズの振動特性などに応じて変動する。従って、残留振動の持続時間に合わせて絞り機構の全閉時間を設定できるように、この全閉時間を変更できることが望ましい。
【００１２】
次に、本発明のバルブ撮影機能を有するフォーカルプレーンシャッタ付き一眼レフカメラは、レリーズボタンと、フォーカルプレーンシャッタと、絞り機構と、バルブ撮影モードを設定入力する入力手段と、前記フォーカルプレーンシャッタおよび前記絞り機構を制御する制御手段とを有し、前記制御手段は、撮影モードが前記バルブ撮影モードの場合には、前記レリーズボタンが操作されると、前記フォーカルプレーンシャッタが全開状態になる前に前記絞り機構を全閉状態にし、当該全閉状態を所定時間だけ保持し、しかる後に、前記絞り機構を予め設定されている絞り値に戻すようになっていることを特徴としている。
【００１３】
ここで、前記絞り機構を全閉状態に保持する時間を変更可能な全閉時間変更手段を有していることが望ましい。
【００１４】
また、前記制御手段は、前記バルブ撮影モードを含む撮影モードの動作制御プログラムが書き換え可能な状態で記憶されたＥＥＰＲＯＭを備えていることが望ましい。
【発明の効果】
【００１５】
本発明のバルブ撮影方法および一眼レフカメラでは、バルブ撮影時に、シャッタレリーズ直後に、フォーカルプレーンシャッタが全開状態になる前に、絞り機構を全閉状態に切り換え、この全閉状態を所定時間だけ保持するようにしている。したがって、この全閉時間を適切に設定しておけば、シャッタレリーズに起因するカメラ本体の残留振動が無くなった後に露出動作を開始でき、残留振動による撮影画像ぶれを回避できる。
【００１６】
また、本発明では、絞りのシーケンスを変更するのみで撮影画像のぶれを回避できるので、従来のようにフォーカルプレーンシャッタなどの駆動機構に変更を加える必要がないという利点がある。
【００１７】
さらに、ＥＥＰＲＯＭにバルブ撮影モードなどの撮影モードの動作制御プログラムが格納されている場合には、本発明によるバルブ撮影モードの絞りのシーケンスをカスタムファンクションとして、ユーザに対してオプションサービスすることも可能になる。
【発明を実施するための最良の形態】
【００１８】
以下に、図面を参照して、本発明を適用したバルブ撮影機能を有するフォーカルプレーンシャッタ付き一眼レフカメラの一例を説明する。
【００１９】
図１は本例の一眼レフカメラを示す概略平面図である。一眼レフカメラ１は、例えば、セミ版（４．５×６ｃｍ）の一眼レフカメラであり、カメラ本体２と、その前面に取り付けたレンズマウント３に交換可能に装着された撮影レンズ４と、カメラ本体２の上面部分に交換可能に装着されたファインダ５と、カメラ本体２の後面に交換可能に装着されたフィルムバッグ（あるいはデジタルバッグ）６を有している。カメラ本体２の内部における後側の部位には、縦走り方式のフォーカルプレーンシャッタ７が配置されている。カメラ本体２の上面の右端部分には、レリーズボタン８、シャッタ速度設定用のＴｖダイヤル９、絞り調整用のＡｖダイヤル１１、および各種設定値やモードを確認するための表示窓１２が配置されている。また、カメラ本体２の前面部分には本体側接点部１３が取り付けられ、撮影レンズ４の後端面部分にはレンズ側接点部１４が取り付けられている。撮影レンズ４をカメラ本体２に装着すると、これらの間が電気的に接続されて双方の間で情報の伝達が可能な状態になる。
【００２０】
撮影レンズ４の内部には絞り機構１５が配置されている。絞り機構１５には、その口径調整を行うためのステッピングモータ１７が減速歯車列１８を介して接続されている。絞り機構１５として、全閉状態に絞り込み可能な公知の絞り羽根を備えた構成のものを採用することができる。
【００２１】
図２は、本例の一眼レフカメラ１の制御系を示す概略ブロック図である。一眼レフカメラ１の制御系はマイクロコンピュータからなるカメラ本体側の制御装置２１を中心に構成されている。制御装置２１はＣＰＵ、ＲＯＭおよびＲＡＭを備え、ＲＯＭ内に格納されている制御プログラムを実行することにより、各種の撮影モードで撮影を行うことが可能となっている。本例では、ＲＯＭはＥＥＰＲＯＭからなり、ここには、本発明によるバルブ撮影モードの動作制御を実現するための動作制御プログラムが格納されている。
【００２２】
制御装置２１の入力側には、レリーズボタン８、Ｔｖダイヤル９、Ａｖダイヤル１１が接続され、その出力側には液晶表示器などからなる表示窓１２が接続されている。また、制御装置２１の入出力側には本体側接点部１３が接続されている。
【００２３】
交換式レンズである撮影レンズ４の側にもレンズ側制御装置３１が内蔵されており、この制御装置３１もマイクロコンピュータを中心に構成されている。制御装置３１の入出力側にはレンズ側接点部１４が接続されており、その出力側にはモータドライバ３２を介して絞り機構１５のステッピングモータ１７が接続されている。
【００２４】
カメラ本体側の制御装置２１は、レリーズボタン８が押下されると、Ｔｖダイヤル９によって設定されたシャッタ速度でフォーカルプレーンシャッタ７を駆動し、また、Ａｖダイヤル１１によって設定された絞り値となるように絞り機構１５の口径調整を行うことにより、設定された撮影モードによる撮影を実行する。すなわち、制御装置２１は、本体側接点部１３およびレンズ側接点部１４を介してレンズ側の制御装置３１にコマンドを送り、制御装置３１はコマンドを受け取ると、例えば、反射鏡（図示せず）の上昇運動に連動してステッピングモータ１７を駆動して、設定された絞り口径となるように絞り機構１５を絞り込む。また、Ｔｖダイヤル９を介してシャッタ速度としてバルブ撮影値が設定入力された場合には、制御装置２１から供給されるコマンドに基づき、後述の図３に示す絞りシーケンスに従って絞り機構１５を駆動制御する。
【００２５】
次に、図３のフローチャートを参照して、本例の一眼レフカメラ１によるバルブ撮影動作を説明する。バルブ撮影を行うために、撮影者が、Ｔｖダイヤル９によりシャッタ速度をＢ（バルブ）に設定し、Ａｖダイヤル１１により任意のＡｖ値を設定し、設定確認を表示窓１２にて行う（ステップＳＴ１）。この後に、レリーズボタン８が押下されると（ステップＳＴ２）、ミラーアップ後（ミラーアップが既に行われている場合には直ちに）、フォーカルプレーンシャッタ７が露出動作を開始する。
【００２６】
ここで、レリーズボタン８が押下されると同時に、モータドライバ３２を介してステッピングモータ１７が駆動され、撮影レンズ４に内蔵されている絞り機構１５が全閉状態とされる（ステップＳＴ３）。絞り機構１５が全閉状態となった後にフォーカルプレーンシャッタ７が全開状態とされる（ステップＳＴ４）。絞り機構１５の全閉状態は予め定められた規定時間継続する（ステップＳＴ５）。規定時間経過後は、全開状態とされている絞り機構１５を、最初に設定した初期設定Ａｖ値に戻す（ステップＳＴ６）。この結果、フィルムバッグ４への露出がこの時点から開始される（ステップＳＴ７）。
【００２７】
レリーズボタン８を押下して、フォーカルプレーンシャッタ７が露出を開始した時にはカメラ本体２に衝撃が伝わってカメラ本体２が振動する。しかし、本例では、絞り機構１５を一旦全閉状態に保持しているので、全閉時間を適切に設定することにより、カメラ本体２が残留振動している間に、フィルムバッグ４の露光が開始されてしまうことを防止できる。すなわち、シャッタ全開時点（ステップＳＴ４の時点）から露光開始時点（ステップＳＴ７）までの期間Δｔを適切に設定することにより、カメラ本体２の残留振動が終わった時点でフィルムバッグ４の露光を開始できる。
【００２８】
ここで、カメラ本体２の残留振動は、撮影レンズ４との組み合わせによっても変化し、また、フィルムバッグ６との組み合わせによっても変化する変数である。しかし、ぶれとして撮影結果に影響する振動成分は、残留振動の初期における振幅の大きな高周波発生時期である。従って、この期間に露出を開始しないように絞りを全閉としておくことにより、バルブ撮影時のカメラぶれを有効に防止できる。
【００２９】
また、本例では、絞りのシーケンスを変更することにより、バルブ撮影時のカメラぶれを防止できるので、シャッタ駆動機構に変更を加える場合などに比べて、極めて簡単に本発明を適用できるという利点がある。
【００３０】
なお、絞り機構を全閉にする時間は、カメラ１の交換レンズ群を考慮した平均値に固定することができる。この代わりに、交換レンズ毎に変更可能としてもよい。例えば、撮影レンズの制御装置３１の側に、バルブ撮影時の絞り機構の全閉時間を記憶保持させ、撮影レンズ４がカメラ本体に装着されたときに、この情報を、カメラ本体２側の制御装置２１に提供すればよい。あるいは、カメラ本体２に全閉時間を設定入力可能なボタンなどを配置してもよい。
【００３１】
また、上記の例は、セミ版一眼レフカメラについてのものであるが、本発明は、３５ミリ一眼レフカメラや、横走り方式のフォーカルプレーンシャッタを有する一眼レフカメラにも同様に適用可能なことは勿論である。
【図面の簡単な説明】
【００３２】
【図１】本発明を適用したセミ版一眼レフカメラの概略平面図である。
【図２】図１の一眼レフカメラの制御系を示す概略ブロック図である。
【図３】図１の一眼レフカメラのバルブ撮影時の制御動作を示す概略フローチャートである。
【符号の説明】
【００３３】
１    一眼レフカメラ
２    カメラ本体
３    レンズマウント
４    撮影レンズ
５    ファインダ
６    フィルムバッグ
７    フォーカルプレーンシャッタ
８    レリーズボタン
９    Ｔｖダイヤル
１１  Ａｖダイヤル
１２  表示窓
１３  本体側接点部
１４  レンズ側接点部
１５  絞り機構
１７  ステッピングモータ
１８  減速歯車列
２１  制御装置
３１  制御装置
３２  モータドライバ
【図１】
2005156815.tif 000003
【図２】
2005156815.tif 000004
【図３】
2005156815.tif 000005